(57)【特許請求の範囲】
【請求項１】
映像を投射するスクリーンと、
前記スクリーンの中央部後方に配置されたレーザ光源、光源駆動回路及びＴＶ回路と、
前記スクリーンの下部後方に配置され、前記ＴＶ回路により駆動される表示デバイスを含む光学エンジンと、
前記レーザ光源から出射された照明光を前記表示デバイスに伝送する光ファイバと、
を備える投射型映像装置であって、
前記スクリーンは、外周部をスクリーンフレームにより保持され、
前記光学エンジンは、前記スクリーンフレームの下辺に前辺が連結されて該下辺の後方に延在する光学エンジンベースに設置され、
前記レーザ光源、光源駆動回路及びＴＶ回路は、前記スクリーンフレームの上辺の両端部と前記光学エンジンベースの後端部とを連結する少なくとも２本の筋交い材間に設置された板材上に設置されていることを特徴とする投射型映像装置。
【請求項２】
前記板材により前記光学エンジンの設置空間と前記レーザ光源、光源駆動回路及びＴＶ回路の設置空間とを分離したことを特徴とする請求項１に記載の投射型映像装置。
【請求項３】
前記２本の筋交い枠の中間部間を、水平材により連結したことを特徴とする請求項１又は２に記載の投射型映像装置。
【請求項４】
前記レーザ光源、光源駆動回路、ＴＶ回路及び筋交い材を覆うカバーと、
前記レーザ光源、光源駆動回路及びＴＶ回路を冷却する冷却ファンと、
をさらに備え、前記カバーの側部に吸気口を設け、上部に排気口を設けたことを特徴とする請求項１〜３のいずれか１つに記載の投射型映像装置。
【発明の詳細な説明】
【技術分野】
【０００１】
本発明は、レーザ光源を搭載した投射型映像装置に関するものであり、特に、装置を薄型化したものである。
【背景技術】
【０００２】
従来の投射型映像装置として、水銀ランプやＬＥＤ等の光源と、ディスプレイ素子（表示デバイス）で形成された画像の中間像を形成し、第１歪曲を発生させるリレイレンズ群と、前記リレイレンズ群を通過した画像を拡大投射し、第２歪曲を発生させる投射レンズ群と、前記投射レンズ群により拡大された画像をスクリーンに向けて広角に反射させる反射部とを備え、前記第１歪曲と第２歪曲は、前記反射部により発生する歪曲を相殺するものがある（例えば、特許文献１参照）。
【０００３】
また、波長帯域の異なる照射光を出射する複数のレーザ光源と、前記複数の光源に対応する液晶セルが順次循環的に配置され、各液晶セルにおいて入射光の光量を制御して出射する液晶表示パネル（表示デバイス）と、前記複数の光源からの照明光を前記液晶表示パネルの対応する液晶セルに導く照明光学系とを有し、前記照明光学系が、前記複数の光源より出射される照明光を合成して合成照明光を出射する照明光合成手段と、前記波長帯域毎に、前記液晶パネルに対する主光線の入射角を相違させて、前記合成照明光を出射する波長分離手段と、前記液晶表示パネルに対する前記主光線の入射角の相違により、前記合成照明光の前記各波長帯域の成分を、前記液晶パネルの対応する液晶セルに入射する光束分離手段とを有する投射型表示装置がある（例えば、特許文献２参照）。
【０００４】
【特許文献１】特開２００６−０９１８６７号公報
【特許文献２】特開２０００−１３１６６５号公報
【発明の開示】
【発明が解決しようとする課題】
【０００５】
しかしながら、上記従来の技術によれば、水銀ランプやＬＥＤ等を光源として搭載している。そのため、光源の発散角が大きい、点光源でない等の理由により、表示デバイスを照明する光学系や表示デバイスを拡大投影する光学系等からなる光学エンジンが大型となり、装置の薄型化が困難である、という問題があった。
【０００６】
また、レーザ光源等、集光性に優れる点光源を搭載すると、光学系をコンパクトにすることができ、光学系としては装置の薄型化を達成し易くなるが、一方、装置を薄くすると装置内の機器収納スペースが狭くなり、レーザ光源、電源回路、信号処理回路等、装置内に収納する必要のある機器の収納が困難となる、という問題があった。
【０００７】
特に、従来は、レーザ光源を光学エンジンに隣接する位置に配置する必要があり、レーザ光源の配置の自由度が限られていた。また、投射型映像装置を薄型化する場合、光学エンジンとスクリーンの相対位置を、高精度で保持しなければならない、という問題があった。
【０００８】
本発明は、上記に鑑みてなされたものであって、薄型で高強度、高精度な構造の投射型映像装置を得ることを目的とする。
【課題を解決するための手段】
【０００９】
上述した課題を解決し、目的を達成するために、本発明は、映像を投射するスクリーンと、前記スクリーンの中央部後方に配置されたレーザ光源、光源駆動回路及びＴＶ回路と、前記スクリーンの下部後方に配置され、前記ＴＶ回路により駆動される表示デバイスを含む光学エンジンと、前記レーザ光源から出射された照明光を前記表示デバイスに伝送する光ファイバと、を備える投射型映像装置であって、前記スクリーンは、外周部をスクリーンフレームにより保持され、前記光学エンジンは、前記スクリーンフレームの下辺に前辺が連結されて該下辺の後方に延在する光学エンジンベースに設置され、前記レーザ光源、光源駆動回路及びＴＶ回路は、前記スクリーンフレームの上辺の両端部と前記光学エンジンベースの後端部とを連結する少なくとも２本の筋交い材間に設置された板材上に設置されていることを特徴とする。
【発明の効果】
【００１０】
この発明によれば、薄型で高強度、高精度な構造の投射型映像装置が得られる、という効果を奏する。
【発明を実施するための最良の形態】
【００１１】
以下に、本発明にかかる投射型映像装置の実施の形態を図面に基づいて詳細に説明する。なお、この実施の形態によりこの発明が限定されるものではない。
【００１２】
実施の形態
図１は、本発明の投射型映像装置の実施の形態を示す背面斜視図であり、図２は、実施の形態の投射型映像装置の背面透視斜視図であり、図３は、筐体内に収納されたレーザ光源を示す正面斜視図である。
【００１３】
図１及び図２に示すように、スクリーン５は、長方形のスクリーンフレーム８により外周部を保持されている。スクリーンフレーム８の下辺には、光学エンジン３を保持する光学エンジンベース９の前辺が連結されている。光学エンジンベース９は、スクリーンフレーム９の下辺から後方に延在している。
【００１４】
光学エンジンベース９の後端部には、スクリーンフレーム８の上辺の両端部から斜め下後方に延びる上筋交い材１０ａ、１０ａの後端部が連結され、スクリーンフレーム８の下辺の両端部から斜め上後方に延びる下筋交い材１０ｂ、１０ｂの後端部が連結されている。上筋交い材１０ａ、１０ａの中間部間は、水平材１１により連結されている。
【００１５】
連結されたスクリーンフレーム８、光学エンジンベース９、上筋交い材１０ａ、１０ａ及び下筋交い材１０ｂ、１０ｂは、いわゆるトラス構造となっていて、各部材間の相対位置が高精度に維持され、強度的にも強い構造であり、落下衝撃等にも耐えることができる。
【００１６】
図２に示すように、２本の上筋交い材１０ａ、１０ａの間に板材１２を設置し、板材１２上に、レーザ光源１、光源駆動回路６、ＴＶ回路７等を設置する。図３に示すように、レーザ光源１は、筐体１ａ内に設置されて板材１２上に配置され、光源駆動回路６は筐体１ａにより覆われている。
【００１７】
レーザ光源１、光源駆動回路６、ＴＶ回路７及び上筋交い材１０ａ、１０ａ、下筋交い材１０ｂ、１０ｂ等は、図示しないカバーで覆われる。カバーで覆われたスクリーン５の後方の空間には冷却ファンが設置され、カバーの側部には吸気口が設けられ、カバーの上部には排気口が設けられる。
【００１８】
板材１２により、光学エンジン３からスクリーン５に投影する投影レーザ光の空間を含む光学エンジン設置空間と、レーザ光源１、光源駆動回路６、ＴＶ回路７等の設置空間とが分離されている。冷却ファンは、カバーの吸気口から外部の空気を吸い込み、レーザ光源１、光源駆動回路６、ＴＶ回路７等を冷却し、カバーの排気口から排気する。
【００１９】
上筋交い材１０ａ、１０ａに沿う板材１２や光学エンジンベース９の底面部には排気口を設けない。排気口をカバーの上部に設けることにより、投射型映像装置１００を壁等の近くに設置しても排気口が塞がれることはなく、投射型映像装置１００の薄型化の効果を発揮することができる。
【００２０】
板材１２により、光学エンジン３を、冷却が必要なレーザ光源１、光源駆動回路６、ＴＶ回路７等から分離することができ、冷却風に伴うゴミや埃の蓄積を防ぐことができる。さらに、板材１２のスクリーン５側の面を黒色塗装すれば、投射映像のコントラストを向上させることができる。
【００２１】
ＲＧＢ３色のレーザから成るレーザ光源１から出射された照明レーザ光は、レーザ光伝送路である光ファイバ２を経由し、光学エンジン３内に設置された表示デバイス４に照射され、大画面のスクリーン５に拡大投影される。
【００２２】
レーザ光源１は、光源駆動回路６により駆動され、表示デバイス４は、ＴＶ信号処理基板、電源基板等を含むＴＶ回路７により駆動される。レーザ光源１、光源駆動回路６及びＴＶ回路７は、スクリーン５の中央部後方に配置され、レーザ光源１は、屈曲した光ファイバ２を介してスクリーン５の底部後方に配置された光学エンジン３に接続される。投射型映像装置１００は、底部に全ての機器を配置した従来の投射型映像装置に比べて薄型化されている。
【００２３】
レーザ光源１と光学エンジン３とを光ファイバ２で接続することにより、レーザ光源１を、光学エンジン３の隣接位置に配置する必要がなく、投射型映像装置１００内の機器の設置自由度を向上させている。
【産業上の利用可能性】
【００２４】
以上のように、本発明にかかる投射型映像装置は、民生のＴＶや業務用ディスプレイ等に適している。
【図面の簡単な説明】
【００２５】
【図１】本発明の投射型映像装置の実施の形態を示す背面斜視図である。
【図２】実施の形態の投射型映像装置の背面透視斜視図である。
【図３】筐体内に収納されたレーザ光源を示す正面斜視図である。
【符号の説明】
【００２６】
１  レーザ光源
１ａ  筐体
２  光ファイバー
３  光学エンジン
４  表示デバイス
５  スクリーン
６  光源駆動回路
７  ＴＶ回路
８  スクリーンフレーム
９  光学エンジンベース
１０ａ  上筋交い材（筋交い材）
１０ｂ  下筋交い材
１１  水平材
１２  板材
【図１】
0005127406.tif 000002
【図２】
0005127406.tif 000003
【図３】
0005127406.tif 000004